(57)【要約】【課題】  多数のアプリケーション機能を搭載した携帯電話機では、アプリケーションプログラムを起動するためにアプリケーションをメニュー表示して、ユーザに選択させることにより起動させているが、メニュー階層が複雑になり、希望のアプリケーションプログラムを起動する操作が困難であった。【解決手段】  待受画面１１で機能キーを長押操作すると音声入力画面１３になり、音声入力モードになる。この状態でアプリケーションに対応付けた呼び出しワードを発声すると、対応するアプリケーションプログラムが起動され、ユーザが希望するＧＰＳナビ画面が画面表示される。【選択図】          図２
2007280179.tif 000002
【特許請求の範囲】
【請求項１】
音声を入力する音声入力部、
実行可能な複数のアプリケーションに対応付けられた音声パターンを記憶した音声パターン格納部、
上記音声入力部から入力された音声情報と上記音声パターン格納部に格納された音声パターンとを比較する音響比較部、
この音響比較部の比較結果に基づいて、上記入力された音声情報に類似する上記音声パターンに対応付けされたアプリケーションを起動するアプリケーションプログラム起動部を備えたことを特徴とする携帯端末。
【請求項２】
音声を入力する音声入力部、
キー操作部を有する入力部、
この入力部の操作に応じた表示を出力する表示部、
実行可能な複数のアプリケーションに対応付けられた音声パターンを記憶した音声パターン格納部、
上記音声入力部から入力された音声情報と上記音声パターン格納部に格納された音声パターンとを比較する音響比較部、
この音響比較部の比較結果に基づいて、上記入力された音声情報に類似する上記音声パターンに対応付けされたアプリケーションを起動するアプリケーションプログラム起動部を備え、
上記表示部はガイダンス表示領域と呼び出しワード表示領域とを有し、上記入力部の操作によって上記音声入力部からの音声入力するとき、ガイダンス表示領域に発声を促す表示を行なうとともに、呼び出しワード表示領域に上記複数のアプリケーションに対応する音声情報を文字表示することを特徴とする携帯端末。
【請求項３】
音声を入力する音声入力部、
キー操作部を有し、音声入力モード及びメニュー選択モードを起動可能にする機能キーを有する入力部、
この入力部の操作に応じた表示を出力する表示部、
実行可能な複数のアプリケーションを記憶したアプリケーションプログラム格納部、
このアプリケーションプログラム格納部に格納された複数のアプリケーションに対応付けられた音声パターンを記憶した音声パターン格納部、
上記機能キーの所定の操作により音声入力モードが起動されたとき、上記音声入力部から入力された音声情報と上記音声パターン格納部に格納された音声パターンとを比較する音響比較部、
上記機能キーの所定の操作と異なる別の操作によりメニュー選択モードが起動されたとき、上記複数のアプリケーションに対応するメニュー表示を上記表示部に行なう表示制御部、
上記音響比較部の比較結果に基づいて、上記入力された音声情報に類似する上記音声パターンに対応付けされたアプリケーション、又は上記表示部のメニュー表示で選択されたメニューに対応付けされたアプリケーションを起動するアプリケーションプログラム起動部を備えたことを特徴とする携帯端末。
【請求項４】
機能キーの所定の操作及び該所定の操作と異なる操作は、一方が長押操作であり、他方が短押操作であることを特徴とする請求項３に記載の携帯端末。
【請求項５】
一つのアプリケーションに対して複数の音声パターンを対応付けて記憶していることを特徴とする請求項１〜３の何れかに記載の携帯端末。
【請求項６】
音声パターン格納部に記憶した音声情報は不特定話者音声情報であることを特徴とする請求項１〜３の何れかに記載の携帯端末。
【発明の詳細な説明】
【技術分野】
【０００１】
本発明は、各種のアプリケーションを実行可能な携帯電話機等の携帯端末に関し、特に、各種のアプリケーションの中から実行させたいアプリケーションを選択的に起動させるようにした携帯端末に関する。
【背景技術】
【０００２】
近年、携帯電話機にあっては本来の音声通信に加えてパケット通信、カメラ撮影、ＦＭラジオ等の受信、ＧＰＳナビゲーション等、たくさんのアプリケーション機能が搭載されている。一般に多数のアプリケーション機能の中からユーザが希望する任意のアプリケーションを実行させるには、操作部を操作することにより、表示部にアプリケーションの一覧をメニュー表示することにより、ユーザがメニューを選択して実行するようにしている。その一例として特許文献１に記載されてものがある。
【０００３】
【特許文献１】特開２０００−３１６０４５号公報
【発明の開示】
【発明が解決しようとする課題】
【０００４】
携帯電話機には多数のアプリケーション機能が搭載されており、かつ、今後もさらにアプリケーション機能が追加されて行くことが予想される。一方、携帯電話機はポケットや鞄に入れて持ち運ぶことから小型軽量化が図られており、ＬＣＤに代表される表示部の大きさにも限度がある。したがって、比較的小さな表示部に多数のアプリケーション機能を一度にメニュー表示することはできないため、メニューを階層化して上位の階層メニューから下位の階層メニューへとメニューを展開して部分的にメニュー表示することが行なわれている。
【０００５】
しかし、ユーザがメニューの階層を熟知するには限度があり、希望するアプリケーション機能を実行できない場合や、試行錯誤することで希望するアプリケーション機能を実行できたとしても、実行させるまでにメニュー選択を幾度となく操作する必要があり、煩わしいものであった。
【０００６】
本発明は、上述のような従来の問題点に鑑みてなされたものであり、希望するアプリケーションを容易に起動することができる携帯端末を得ることを目的としている。
【課題を解決するための手段】
【０００７】
本発明における携帯端末は、音声を入力する音声入力部、実行可能な複数のアプリケーションに対応付けられた音声パターンを記憶した音声パターン格納部、上記音声入力部から入力された音声情報と上記音声パターン格納部に格納された音声パターンとを比較する音響比較部、この音響比較部の比較結果に基づいて、上記入力された音声情報に類似する上記音声パターンに対応付けされたアプリケーションを起動するアプリケーションプログラム起動部から構成したものである。
【０００８】
また、本発明における携帯端末は、音声を入力する音声入力部、キー操作部を有する入力部、この入力部の操作に応じた表示を出力する表示部、実行可能な複数のアプリケーションに対応付けられた音声パターンを記憶した音声パターン格納部、上記音声入力部から入力された音声情報と上記音声パターン格納部に格納された音声パターンとを比較する音響比較部、この音響比較部の比較結果に基づいて、上記入力された音声情報に類似する上記音声パターンに対応付けされたアプリケーションを起動するアプリケーションプログラム起動部を備え、上記表示部はガイダンス表示領域と呼び出しワード表示領域とを有し、上記入力部の操作によって上記音声入力部からの音声入力するとき、ガイダンス表示領域に発声を促す表示を行なうとともに、呼び出しワード表示領域に上記複数のアプリケーションに対応する音声情報を文字表示するように構成したものである。
【０００９】
また、本発明における携帯端末は、音声を入力する音声入力部、キー操作部を有し、音声入力モード及びメニュー選択モードを起動可能にする機能キーを有する入力部、この入力部の操作に応じた表示を出力する表示部、実行可能な複数のアプリケーションを記憶したアプリケーションプログラム格納部、このアプリケーションプログラム格納部に格納された複数のアプリケーションに対応付けられた音声パターンを記憶した音声パターン格納部、上記機能キーの所定の操作により音声入力モードが起動されたとき、上記音声入力部から入力された音声情報と上記音声パターン格納部に格納された音声パターンとを比較する音響比較部、上記機能キーの所定の操作と異なる別の操作によりメニュー選択モードが起動されたとき、上記複数のアプリケーションに対応するメニュー表示を上記表示部に行なう表示制御部、上記音響比較部の比較結果に基づいて、上記入力された音声情報に類似する上記音声パターンに対応付けされたアプリケーション、又は上記表示部のメニュー表示で選択されたメニューに対応付けされたアプリケーションを起動するアプリケーションプログラム起動部から構成したものである。
【発明の効果】
【００１０】
本発明によれば、音声入力部から入力された音声情報と音声パターン格納部に格納した音声パターンとの比較結果により、該音声パターンに対応付けしたアプリケーションを起動するようにしたので、ユーザにとって極めて容易に希望のアプリケーションを起動することができる効果がある。
【００１１】
また、本発明によれば、音声入力部から入力された音声情報と音声パターン格納部に格納した音声パターンとの比較結果により、該音声パターンに対応付けしたアプリケーションを起動するようにするとともに、表示部にガイダンス表示領域と呼び出しワード表示領域を設け、ガイダンス表示領域に発声を促す表示を行なうと共に、呼び出しワード表示領域に複数のアプリケーションに対応する音声情報を文字表示するようにしたので、ユーザにとって極めて容易に希望のアプリケーションを起動することができるとともに、希望のアプリケーションに対応する音声を表示部で確認することができる効果がある。
【００１２】
また、本発明によれば、音声入力モード時、音声入力部から入力された音声情報と音声パターン格納部に格納した音声パターンとの比較結果により、該音声パターンに対応付けしたアプリケーションを起動するようにするとともに、メニュー選択モード時、表示部にアプリケーションに対応するメニュー表示をし、選択されたメニューに対応付けしたアプリケーションを起動するようにし、かつ、音声入力モード及びメニュー選択モードの起動を同一の機能キーによる異なる操作で行なうようにしたので、ユーザがアプリケーションを起動するとき、何れのモードで起動するにしても操作するキーを迷わずに操作できる効果がある。
【発明を実施するための最良の形態】
【００１３】
以下、本発明の実施の形態を図に基づいて説明する。図１は本発明を携帯電話機に適用した実施の形態を示すブロック図である。
【００１４】
図１において、１はアンテナであり、無線部２から出力される高周波信号を送信し、受信した高周波信号を無線部２へ出力する。無線部２はアンテナ１から受信した高周波信号を処理しやすい中間周波数帯にダウンコンバートして変復調部３へ出力し、変復調部３から入力した中間周波数帯の送信信号をアップコンバートしてアンテナ１へ出力する。４は装置全体の制御を司るＣＰＵであり、ＲＯＭ５に書き込まれたプログラムにしたがって動作する。６はＣＰＵ４によりデータを書き込み及び読み出しを行なうＲＡＭである。７はテンキーや機能キーからなる入力部、８はＬＣＤ等からなる表示部、９は送信する音声信号等を音声―電気変換するマイク、１０は受信した音声信号を電気―音声変換するスピーカである。
【００１５】
本発明は、ＲＯＭ５に格納された各種のアプリケーションプログラムの中からユーザが希望するアプリケーションプログラムをユーザの音声により選択して起動させるものであり、その概要を図２の操作フローにより説明する。
【００１６】
図２は表示部８の画面表示が操作とともに遷移する様子を示したものであり、１１は待受画面である。待受状態からユーザは希望とするアプリケーションを起動すべく入力部７における所定の機能キーを操作する。この機能キーは短押操作されると通常の入力画面１２となってメニュー選択モードが起動され、また、長押操作されると本発明に係る音声入力画面１３となって音声入力モードが起動される。ここで、メニュー選択モード及び音声入力モードの何れもが同一の機能キーを用いた操作により起動するようになっているのは、ユーザがアプリケーションを起動したいときに操作するキーを誤認するのを防止するためであり、操作性の向上を図っている。
【００１７】
いま、待受画面１１の状態において、機能キーが短押操作されたとすると、ＣＰＵ４が入力部７からその情報を伝達され、メニュー選択モードを起動して表示部８に通常入力画面１２を表示させる。次いで、ユーザが入力部７を操作して通常入力画面１２上でのカーソル位置操作、若しくはテンキーの操作によって通常入力画面１２の「ＧＰＳナビアプリ」を選択すると、ＣＰＵ４がユーザの選択操作を認識してＧＰＳナビアプリを起動して表示部８にＧＰＳナビ画面１４を表示させる。この結果、ユーザはＧＰＳナビアプリのアプリケーション機能を操作することが可能になる。
【００１８】
一方、待受画面１１の状態において、機能キーが長押操作されたとすると、ＣＰＵ４が入力部７からその情報を伝達され、音声入力モードを起動して表示部８に音声入力画面１３を表示させる。音声入力画面１３は図２に示すようにガイダンス表示領域１３ａと呼び出しワード表示領域１３ｂからなっており、ガイダンス表示領域１３ａには発声を促す「音声で入力してね！」が表示され、呼び出しワード表示領域１３ｂにはＲＯＭ５に格納されている複数のアプリケーションに対応した呼び出しワードが表示される。
【００１９】
ここで、図２の例ではアプリケーションとして「ＦＭラジオ」、「ミュージックプーイヤー」、「動画再生」、「ＧＳＰナビアプリ」が設定されており、これらアプリケーションに対応する呼び出しワードとして「ラジオ」、「オンガク」、「ドウガ」、「ナビ」が対応付けられている。音声呼び出しするアプリケーションとしてはこれらに限らず、各種のアプリケーションを設定しても良いが、一般ユーザがよく使用するアプリケーションを選択して設定するようにしても良い。また、後述するように各アプリケーションに対応する呼び出しワードは、一つのアプリケーションに一つの呼び出しワードを対応付けしているが、一つのアプリケーションプに複数の呼び出しワードを対応付けするものとしても良い。
【００２０】
さて、音声入力画面１３の状態でユーザが「ＧＳＰナビアプリ」を起動すべく、これに対応付けした「ナビ」と発声したとすると、ユーザの発声した「ナビ」はマイク９を通してＣＰＵ４に伝達され、該ＣＰＵにより呼び出しワード「ナビ」に対応付けされたアプリケーションである「ＧＳＰナビアプリ」のアプリケーションプログラムが起動される。ＧＳＰナビアプリが起動完了するまで表示部８には起動中画面１５が表示され、起動が完了するとＧＳＰナビ画面１４が表示される。この結果、ユーザはＧＰＳナビアプリのアプリケーション機能を操作することが可能になる。
【００２１】
次に、音声入力により発声されたユーザの呼び出しワードを分析し、対応するアプリケーションプログラムを起動するＣＰＵ４の具体的動作を図３のブロック図により説明する。
【００２２】
図３は本発明の主要部を示すＣＰＵ４内の機能ブロック及びその周辺ブロック図であり、ＣＰＵ４内の音響分析部４１はユーザが発声した呼び出しワードをマイク９を通して入力し、その音声信号を音響分析して特徴パラメータを抽出する。音響分析部４１が抽出した特徴パラメータは音響比較部４２で音声パターン格納部５１に格納した呼び出しワードの標準の音声パターンと比較され、ユーザが発声した呼び出しワードがどの標準の音声パターンに対応するのかを特定する。アプリケーションプログラム起動部４３は音響比較部４２が特定した音声パターンを伝達され、複数のアプリケーションプログラムが格納されたアプリケーションプログラム格納部５２から上記特定した音声パターンに対応するアプリケーションプログラムを呼び出して起動するものである。
【００２３】
以下、図３の各部の動作を図４のフローチャートにより具体的に説明する。
【００２４】
いま、ユーザが所定のアプリケーションを起動すべく、入力部７の機能キーを長押操作し、マイク９に向かって呼び出しワードを発声すると（ＳＴ１）、マイク９で音声―電気変換された呼び出しワードの音声信号が音響分析部４１に伝達される。音響分析部４１は、伝達された音声信号を分析して音声信号の特徴パラメータを抽出する（ＳＴ２）。音響分析部４１の抽出した特徴パラメータは音響比較部４２へ入力され、該音響比較部４２で音声パターン格納部５１に格納された標準の音声パターンと比較される（ＳＴ３）。音響比較部４２はユーザが発声した音声信号の特徴パラメータと標準の音声パターンとの類似性を対比しており（ＳＴ４）、類似する標準の音声パターンがない場合はＮＧ（ＳＴ５）とする。一方、標準の音声パターンに類似するものがあれば、その音声パターンの呼び出しワードをアプリケーションプログラム起動部４３へ伝達する。
【００２５】
なお、音声パターン格納部５１に格納されている標準の音声パターンは不特定話者音声認識用の音声パターンで、不特定話者の音声を認識することができるパターンであり、ユーザの音声をパターンとして登録したものではない。これは、ユーザが音声パターンを登録しておく手間を省略し、音声登録する操作に不慣れなユーザでも容易に音声入力によるアプリケーションプログラムの起動ができるように考慮したものである。また、音声の分析及び不特定話者音声認識技術は、例えば、特開平５−１９７８６号公報及び特開平５−６６７８８号公報に記載されているように周知の技術であるから、ここでは、詳述しない。
【００２６】
次に、呼び出しワードを伝達されたアプリケーションプログラム起動部４３は、その呼び出しワードに対応するアプリケーションを図５に示す対応表を用いて特定し、アプリケーションプログラム格納部５２に格納された当該アプリケーションプログラムを起動する（ＳＴ６）。ここで、各アプリケーションに対応付けされた呼び出しワードは１対１に対応付けされる必要はなく、図５のミュージックプレーヤーのように１対ｎ（ｎ＝２）であっても良い。これにより、ユーザは任意の呼び出しワードを発声することで希望のアプリケーションプログラムを起動することができ、操作性が向上する。
【００２７】
なお、上記実施の形態では、本発明を携帯電話機に適用したものについて記載したが、複数のアプリケーション機能を搭載した携帯機器に適用することができる。
【００２８】
また、図２の音声入力画面１３には呼び出しワード表示領域１３ｂに４個の呼び出しワードを表示しているが、呼び出しワードが多数存在する場合は、呼び出しワード表示領域１３ｂをスクロールさせて、一度に表示できない呼び出しワードを表示するように構成しても良い。
【産業上の利用可能性】
【００２９】
本願発明は、多数のアプリケーションプログラムを搭載している携帯電話機等に適用することができるものである。
【図面の簡単な説明】
【００３０】
【図１】本発明を携帯電話機に適用した実施の形態を示すブロック図である。
【図２】本発明における操作により遷移する画面表示の実施の形態を示す操作フロー図である。
【図３】本発明の主要部を示すＣＰＵ内の機能ブロック及びその周辺ブロック図である。
【図４】本発明の動作を説明するためのフローチャートである。
【図５】本発明にけるアプリケーション―呼び出しワード対応表を示す説明図である。
【符号の説明】
【００３１】
１  アンテナ    ２  無線部    ３  変復調部    ４  ＣＰＵ    ５  ＲＯＭ    ６  ＲＡＭ    ７  入力部    ８  表示部    ９  マイク    １０  スピーカ    ４１  音響分析部    ４２  音響比較部    ４３  アプリケーションプログラム起動部    ５１  音声パターン格納部    ５２  アプリケーションプログラム格納部
【図１】
2007280179.tif 000003
【図２】
2007280179.tif 000004
【図３】
2007280179.tif 000005
【図４】
2007280179.tif 000006
【図５】
2007280179.tif 000007